(57)【要約】【課題】  給湯と暖房空調を同時に行う運転時に、給湯ユニットに供給される水の温度が低い場合でも、快適な暖房空調運転を実現させる給湯及び空調システムを提供する。【解決手段】  給湯及び空調システムは、室外ユニットと、室外ユニットとガス配管を介して接続され、空気とガス冷媒との間で熱交換を行う室内ユニットと、室外ユニットとガス配管を介して接続され、二次冷媒とガス冷媒との間で熱交換を行う給湯熱交換器を有する室外ユニットとを備える。給湯ユニットは更に、給湯熱交換器に接続され、熱交換前の二次冷媒を給湯熱交換器に流すための第１配管と、給湯熱交換器に接続され、熱交換後に給湯熱交換器から出てきた二次冷媒を流すための第２配管と、第１配管と第２配管を接続し、第１配管を流れる二次冷媒を、給湯熱交換器を回避して第２配管へ流すバイパス回路とを備える。【選択図】図１
2015004482.tif 000002
【特許請求の範囲】
【請求項１】
ガス冷媒を供給可能な室外ユニットと、
前記室外ユニットとガス配管を介して接続され、空気と前記室外ユニットから供給される前記ガス冷媒との間で熱交換を行う室内ユニットと、
前記室外ユニットとガス配管を介して接続され、二次冷媒と前記室外ユニットから供給される前記ガス冷媒との間で熱交換を行う給湯熱交換器を有する室外ユニットと、
を備え、
前記給湯ユニットは更に、
前記給湯熱交換器に接続され、前記熱交換前の前記二次冷媒を前記給湯熱交換器に流すための第１配管と、
前記給湯熱交換器に接続され、前記熱交換後に前記給湯熱交換器から出てきた前記二次冷媒を流すための第２配管と、
前記第１配管と前記第２配管を接続し、前記第１配管を流れる前記二次冷媒を、前記給湯熱交換器を回避して前記第２配管へ流すバイパス回路と、
を備える給湯及び空調システム。
【請求項２】
前記給湯ユニットは更に、前記第１配管を流れる前記二次冷媒の、前記給湯熱交換器へ流す流量と前記バイパス回路へ流す流量との流量比を調整可能な流量調整手段を備える
請求項１に記載の給湯及び空調システム。
【請求項３】
前記流量調整手段は、三方弁であり、前記三方弁を介して前記第１配管と前記バイパス回路は接続されている
請求項２に記載の給湯及び空調システム。
【請求項４】
前記流量調整手段は、
前記バイパス回路を構成する複数のバイパス配管と、
各バイパス配管を開閉するために設けられた複数のバイパス開閉弁と、
前記第１配管に設けられた給湯開閉弁と、を備え、
前記複数の前記バイパス開閉弁及び前記給湯開閉弁を選択的に開閉することにより、前記複数のバイパス配管及び前記第１配管を開閉し、前記給湯熱交換器へ流す流量と前記バイパス回路へ流す流量との流量比を調整する
請求項２に記載の給湯及び空調システム。
【請求項５】
前記給湯熱交換器へ流す流量と前記バイパス回路へ流す流量との前記流量比は、前記二次冷媒の温度、又は、前記室外ユニット、前記室内ユニット、及び前記給湯ユニットにより形成される冷凍サイクルの圧力に基づいて制御される
請求項２に記載の給湯及び空調システム。
【請求項６】
前記給湯ユニットは更に、前記第２配管内を流れる前記二次冷媒を加温する電気ヒータを備え、
前記バイパス回路は、前記電気ヒータよりも上流側において前記第２配管に接続されている
請求項１乃至４のいずれか一項に記載の給湯及び空調システム。
【発明の詳細な説明】
【技術分野】
【０００１】
本発明は、一台もしくは一セットの室外ユニットにより、給湯ユニットによる給湯及び室内ユニットによる空調を行う給湯及び空調システムに関する。
【背景技術】
【０００２】
一台もしくは一セットのヒートポンプ式空気調和機に、複数台の室内ユニット及び給湯ユニットを接続し、必要に応じて空調運転を実施したり、給湯運転を実施したり、空調運転と給湯運転を同時に実施するシステムが知られている（例えば、特許文献１参照）。このシステムは、暖房空調を主体に導入されることが多く、給湯運転にて沸かした温水を床暖房システムやコンベクター等に供給し、かつ空調運転を実施することで、より快適な暖房を実現している。
【先行技術文献】
【特許文献】
【０００３】
【特許文献１】特開２０１１−２９２０１４号公報
【発明の概要】
【発明が解決しようとする課題】
【０００４】
しかし、上記のような給湯及び空調システムでは、給湯と暖房空調を同時に行う運転時には、圧縮機から吐出されたガス冷媒を室内ユニットの熱交換器と、給湯ユニットの熱交換器の両方に同時に流す必要がある。
【０００５】
このとき、冷凍サイクルの吐出圧力はそれぞれの熱交換器の出口温度の低い方に影響される傾向になる。
【０００６】
特に、給湯ユニットに供給される水の温度が低い場合には、ガス冷媒の多くが給湯ユニットの熱交換器へ流れるため、室内ユニットの熱交換器での熱交換量は小さくなる。これにより、吐出圧力も低くなるため、室内ユニットから吹出される空気の温度が低くなり、快適な空調運転を維持できないことになる。
【０００７】
本発明は、上述の課題に鑑みてなされたもので、その目的は、給湯と暖房空調を同時に行う運転時に、給湯ユニットに供給される水の温度が低い場合でも、快適な暖房空調運転を実現させる給湯及び空調システムを提供することである。
【課題を解決するための手段】
【０００８】
上記課題を解決すべく、本発明の一態様である給湯及び空調システムは、ガス冷媒を供給可能な室外ユニットと、前記室外ユニットとガス配管を介して接続され、空気と前記室外ユニットから供給される前記ガス冷媒との間で熱交換を行う室内ユニットと、前記室外ユニットとガス配管を介して接続され、二次冷媒と前記室外ユニットから供給される前記ガス冷媒との間で熱交換を行う給湯熱交換器を有する室外ユニットと、を備え、前記給湯ユニットは更に、前記給湯熱交換器に接続され、前記熱交換前の前記二次冷媒を前記給湯熱交換器に流すための第１配管と、前記給湯熱交換器に接続され、前記熱交換後に前記給湯熱交換器から出てきた前記二次冷媒を流すための第２配管と、前記第１配管と前記第２配管を接続し、前記第１配管を流れる前記二次冷媒を、前記給湯熱交換器を回避して前記第２配管へ流すバイパス回路と、を備える。
【発明の効果】
【０００９】
本発明によれば、外給湯と暖房空調を同時に行う運転時に、給湯ユニットに供給される水の温度が低い場合でも、快適な暖房空調運転を実現させる給湯及び空調システムを提供することができる。
【図面の簡単な説明】
【００１０】
【図１】本発明の第１の実施の形態による給湯及び空調システムの概略図である。
【図２】給湯熱交換器流量比を変更したときの、室内ユニットの暖房能力及び給湯ユニットの給湯能力の能力バランスの関係を示す図である。
【図３】本発明の第２の実施の形態による給湯及び空調システムの給湯ユニットの略図である。
【発明を実施するための形態】
【００１１】
以下、本発明の第１の実施の形態について、図面に基づいて説明する。図１は、第１の実施の形態による給湯及び空調システム１００の概略図である。
【００１２】
給湯及び空調システム１００は、室外ユニット１と、室内ユニット２と、給湯ユニット３と、貯湯タンク４と、床暖房システム５とを有している。室外ユニット１と室内ユニット２は、ガス配管６１及び液配管６２を介して互いに接続され、室外ユニット１と給湯ユニット３は、吐出ガス配管６０及び液配管６２を介して互いに接続されている。このように、室外ユニット１、室内ユニット２、及び給湯ユニット３は、互いに接続されて冷凍サイクルを形成している。
【００１３】
室外ユニット１は、圧縮機６と、アキュームレータ７と、四方弁８と、室外熱交換器９と、室外ファン１０と、室外膨張弁１１と、第１電磁弁１２と、第２電磁弁１３と、外気温度センサ１４と、吐出ガス阻止弁１５と、ガス阻止弁１６と、液阻止弁１７と、マイ黒コンピュータ１８（以下、マイコン１８）と、吐出圧力センサ１９とを備える。
【００１４】
圧縮機６は、冷媒を圧縮して配管に吐出する。アキュームレータ７は、気液混合状態の冷媒から液状の冷媒を貯留し、ガス状の冷媒を圧縮機６に送り出す。四方弁８を切り替えることで、冷媒の流れが変化し、冷房運転と暖房運転が切り替わる。室外熱交換器９は、冷媒と外気の間で熱交換させる。冷房運転時には、室外熱交換器９は凝縮器となり、暖房運転時には、室外熱交換器９は蒸発器となる。外気ファン１０は、熱交換を行うための外気を室外熱交換器９に供給する。室外膨張弁１１は、暖房運転時には、冷媒を減圧して低温にする。
【００１５】
第１電磁弁１２及び第２電磁弁１３は、冷房運転と暖房運転の切り替え時に、冷媒の流れを変えるために開閉される。外気温度センサ１４は、外気ファン１０に吸込まれる空気の温度を測定する。吐出ガス阻止弁１５は、室外ユニット１と吐出ガス配管６０の間の流路を開閉する。吐出ガス阻止弁１５を閉めると、室外ユニット１と吐出ガス配管６０の間のガス冷媒の流通が阻止される。ガス阻止弁１６は、室外ユニット１とガス配管６１の間の流路を開閉する。ガス阻止弁１６を閉めると、室外ユニット１とガス配管６１の間のガス冷媒の流通が阻止される。液阻止弁１７は、室外ユニット１と液配管６２の間の流路を開閉する。液阻止弁１７を閉めると、室外ユニット１と液配管６２の間の液冷媒の流通が阻止される。マイコン１８は、例えばマイクロプロセッサおよびメモリなどを備えたコンピュータ装置として構成されており、後述の三方弁３９の制御を実行する。吐出圧力センサ１９は、圧縮機６から吐出されたガス冷媒の圧力（吐出圧力、冷媒サイクルの圧力）を検出し、図示せぬ信号線を介して電気信号をマイコン１８に出力する。
【００１６】
室内ユニット２は、複数の室内ユニットから構成されており、室内ユニットの数は、この図に限定されず単数でも複数でも良い。室内ユニット２は、室内熱交換器２０と、室内ファン２１と、室内膨張弁２２と、吸込空気温度センサ２３と、吹出空気温度センサ２４とを備える。
【００１７】
室内熱交換器２０は、冷媒と内気の間で熱交換させる。冷房運転時には、室内熱交換器２０は蒸発器となり、暖房運転時には、室内熱交換器２０は凝縮器となる。室内ファン２１は、熱交換を行うための室内空気を室内熱交換器２０に供給する。室内膨張弁２２は、その絞り量を変化させることにより室内熱交換器２０を流れる冷媒の流量を変化させることが可能である。吸込空気温度センサ２３は、室内ユニット２に吸込まれた空気の温度を検出し、図示せぬ信号線を介して電気信号をマイコン１８に出力する。吹出空気温度センサ２４は、熱交換され室内ユニット２から吹出される空気の温度を検出し、図示せぬ信号線を介して電気信号をマイコン１８に出力する。
【００１８】
給湯ユニット３は、給湯熱交換器３０と、給湯膨張弁３１と、第１水配管３２Ａと、第２水配管３２Ｂと、給湯水温センサ３３と、給湯電気ヒータ３４と、水ポンプ３５と、出口水温センサ３６と、入口水温センサ３７と、バイパス回路３８と、三方弁３９とを備える。
【００１９】
給湯熱交換器３０は、冷媒と二次冷媒（水又はブラインであって、本実施の形態では水として説明する。）の間で熱交換させる。給湯膨張弁３１は、その絞り量を変化させることにより室内熱交換器３０を流れる冷媒の流量を変化させることが可能である。第１水配管３２Ａは、給湯熱交換器３０で熱交換を行う前の水が流れる配管である。第２水配管３２Ｂは、給湯熱交換器３０で熱交換が行われた後の水が流れる配管である。給湯水温センサ３３は、給湯熱交換器３０で熱交換が行われ、給湯熱交換器３０から出てきた水の温度を検出し、図示せぬ信号線を介して電気信号をマイコン１８に出力する。
【００２０】
給湯電気ヒータ３４は、給湯熱交換器３０を通過した第２水配管３２Ｂ内の水を加温する。水ポンプ３５は、一定流量の水を定速で流すために用いられる。配管内を流れる水量は一定であるので、配管を流れる水の音の変化を抑制することができる。出口水温センサ３６は、給湯ユニット３から出る直前の水の温度を検出し、図示せぬ信号線を介して電気信号をマイコン１８に出力する。入口水温センサ３７は、給湯ユニット３に入ってきた水の温度を検出し、図示せぬ信号線を介して電気信号をマイコン１８に出力する。
【００２１】
バイパス回路３８は、第１水配管３２Ａと第２水配管３２Ｂとを接続して、第１水配管３２Ａ内の水が給湯熱交換器３０を回避して第２水配管３２Ｂへ流れることを可能にする。バイパス回路３８の一方の端部は、第２水配管３２Ｂの給湯電気ヒータ３４よりも上流側に接続され、バイパス回路３８の他方の端部は三方弁３９を介して第１水配管３２Ａに接続されている。三方弁３９は、１つの入口及び２つの出口を有し、入口及び一方の出口は第１水配管３２Ａに接続され、他方の出口はバイパス回路３８に接続されている。三方弁３９は、第１水配管３２Ａを流れる水を給湯熱交換器３０及び／又はバイパス回路３８へことが可能であり、給湯熱交換器３０へ流す水量と、バイパス回路３８へ流す水量との流量比を調整可能である。
【００２２】
給湯ユニット３から出た温水は、第３水配管６３Ａを通って貯湯タンク４又は床暖房システム５に供給され、貯湯タンク４又は床暖房システム５を通過した温水は、第４水配管６３Ｂを通って給湯ユニット３に戻る。また、第３水配管６３Ａには、三方弁６４が設けられ、給湯ユニット３から供給される温水は、三方弁６４により貯湯タンク４と床暖房システム５のどちらかに切換えられる。
【００２３】
貯湯タンク４は、貯湯熱交換器４０と、貯湯電気ヒータ４１と、貯湯水温センサ４２とを備える。貯湯熱交換器４０は、給湯ユニット３から供給される温水と貯湯タンク４内に貯められた水の間で熱交換させる。貯湯電気ヒータ４１は、貯湯タンク４内に貯められた水を加温する。貯湯水温センサ４２は、貯湯タンク４内に貯められた水の温度を検出し、図示せぬ信号線を介して電気信号をマイコン１８に出力する。
【００２４】
床暖房システム５は、床暖房コイル５０と、床暖房温度センサ５１と、室温センサ５２とを備える。床暖コイル５０は、その内部を給湯ユニット３から供給される温水が通過し、床暖コイル５０が配設された室内を暖める。床暖房温度センサ５１は、床暖房の温度を検出し、図示せぬ信号線を介して電気信号をマイコン１８に出力する。室温センサ５２は、床暖コイル５０が配設された室内の温度を検出し、図示せぬ信号線を介して電気信号をマイコン１８に出力する。
【００２５】
次に、給湯及び空調システム１００における室内ユニット２による暖房と給湯ユニット３による給湯との同時運転について説明する。図１に示す実線矢印は、暖房と給湯の同時運転における冷媒の流れる方向を示し、破線矢印は、水の流れる方向を示している。
【００２６】
圧縮機６から吐出されたガス冷媒は、四方弁８及びガス阻止弁１６を通過して、室外ユニット１の外へ出て、ガス管６１を通り、室内ユニット２へ供給される。これと同時に、圧縮機６から吐出されたガス冷媒は、吐出ガス阻止弁１５を通過して、室外ユニット１の外へ出て、吐出ガス管６０を通り、給湯ユニット３へ供給される。
【００２７】
室内ユニット２に供給されたガス冷媒は、室内熱交換器２０を通過するときに、室内ファン２１から供給される室内空気により熱交換が行わる。具体的には、ガス冷媒と室温の空気との間で熱交換が行われるが、ガス冷媒の温度及び室内熱交換器２０の温度は、室温まで下がることはなく、ガス冷媒は完全に凝縮しない。そして、室内熱交換器２０を通過した冷媒は、室内膨張弁２２を通過し、室内ユニット２から出て、液配管６２を通って液阻止弁１７より室外ユニット１へ戻る。
【００２８】
一方、給湯ユニット３に供給された冷媒は、給湯熱交換器３０を通り、第１水配管３２Ａより供給される水と熱交換が行われ凝縮する。具体的には、ガス冷媒と水との間で熱交換が行われるので、熱交換効率が非常によく、熱交換によりガス冷媒はその温度が水温近くまで下がり完全に凝縮して液冷媒となる。また、給湯熱交換器３０も水温近くまで低下する。そして、凝縮された液冷媒は、給湯膨張弁３１を通過し、給湯ユニット３から出て、液配管６２を通って液阻止弁１７より室外ユニット１へ戻る。
【００２９】
このように、圧縮機６から吐出されたガス冷媒は、室内熱交換器２０及び給湯熱交換器３０に供給される。そして、ガス冷媒は、温度の低い方の熱交換器に流れやすいため、熱交換器の温度の低い方のユニットの能力が出やすくなる。一般的には、給湯熱交換器３０の方が室内熱交換器２０よりも温度が低くなるため、より多くの冷媒が室内熱交換器２０よりも給湯熱交換器３０に流れる。これにより、給湯ユニット３の給湯能力が出やすくなり、室内ユニット２の暖房能力が出にくくなる。特に、給湯熱交換器３０に供給される水温が低い場合にはこの傾向がより顕著となる。そして、冷凍サイクルの吐出圧力は給湯熱交換器３０の出口水温の飽和圧力に近くなり、室内ユニット２の吹出空気温度もこの温度に近くなる。
【００３０】
そこで、本実施の形態では室内ユニット２の暖房能力を出すために、暖房と給湯の同時運転の時に、マイコン１８により、給湯水温センサ３３からの水温情報をもとに三方弁３９を調整して、給湯熱交換器３０へ流す水量と、バイパス回路３８へ流す水量との流量比を調整している。即ち、給湯熱交換器３０へ供給する水量を減少させている。これにより、圧縮機６から吐出されるガス冷媒のうち、給湯ユニット３へ流れるガス冷媒の量を減少させ、室内ユニット２へ流れるガス冷媒の量を増加させている。この結果、一台の室外ユニット１であっても、室内ユニット２の暖房能力を大きくし、快適な暖房空調運転を実現している。
【００３１】
暖房と給湯の同時運転の時に、給湯水温センサ３３からの水温情報をもとに、三方弁３９を調整して、給湯熱交換器３０へ流す水量と、バイパス回路３８へ流す水量との流量比を調整する方法について具体的に説明する。
【００３２】
まず、給湯熱交換器３０から出てくる水温に目標値（以下、水温目標値とする。）を設定する。そして、マイコン１８により、給湯水温センサ３３により検出される水温が水温目標値よりも低い場合には、三方弁３９を調整して、バイパス回路３８へ流す水量を増加させ、給湯熱交換器３０へ流す水量を減少させる。これにより、給湯熱交換器３０から出てくる水温を上昇させ、給湯熱交換器３０自体の温度を上昇させている。一方、給湯水温センサ３３により検出される水温が水温目標値よりも高い場合には、マイコン１８は、三方弁３９を調整して、バイパス回路３８へ流す水量を減少させ、給湯熱交換器３０へ流す水量を増加させて、給湯熱交換器３０から出てくる水温を低下させる。
【００３３】
水温目標値は、室内ユニット２における設定温度、吹出空気温度センサ２４で検出された温度に基づいて、室内ユニット２の暖房能力を大きくしたいときは高い温度に、室内ユニット２の暖房能力を小さくしたいときは低い温度にマイコン１８により設定される。
【００３４】
例えば、室内ユニット２における設定温度よりも、吹出空気温度センサ２４で検出された温度が低い場合には、室内ユニット２の暖房能力を大きくする必要であるので、水温目標値を高い温度に設定する。これにより、給湯水温センサ３３により検出される水温が水温目標値よりも低くなるので、マイコン１８が三方弁３９を調整して、バイパス回路３８へ流す水量が増やし、給湯熱交換器３０へ流す水量を減少させる。この結果、給湯熱交換器３０から出てくる水温を上昇させ、給湯熱交換器３０自体の温度を上昇させることができる。よって、圧縮機６から吐出されるガス冷媒のうち、給湯ユニット３へ流れるガス冷媒の量を少なくすることができ、室内ユニット２へ流れるガス冷媒の量を多くすることができる。従って、室内ユニット２の暖房能力を大きくすることができ、快適な暖房空調運転を実現することができる。
【００３５】
このように、バイパス回路３８を設けることにより、給湯熱交換器３０へ流す水量と、バイパス回路３８へ流す水量との流量比を調整し、給湯熱交換器３０へ流れるガス冷媒の量、及び、室内熱交換器２０へ流れるガス冷媒の量を調整し、一台の室外ユニット１であっても室内ユニット２による所望の暖房空調運転を実現している。
【００３６】
なお、バイパス回路３８へ流す水量と、給湯熱交換器３０へ流す水量との流量比は、三方弁３９により任意の比率に変更可能であり、流量比を変更することにより、図２に示すように室内ユニット２の暖房能力及び給湯ユニット３の給湯能力の能力バランスを制御することができる。図２における縦軸は、室外ユニット１の能力、横軸は給湯熱交換器３０に供給される水の水温（供給水温：℃）である。
【００３７】
図２に示すように、バイパス回路３８へ流す水量に対する給湯熱交換器３０へ流す水量の比（給湯熱交換器流量比）を小さくするほど、暖房能力が水温の影響を受けず、給湯能力に対する暖房能力の比を大きくすることができる。
【００３８】
また、バイパス回路３８の一方の端部は、第２水配管３２Ｂの給湯電気ヒータ３４よりも上流側に接続されるので、給湯熱交換器３０を通過した水にバイパス回路３８を通過した水が合流した後の水温が、床暖房システム５の設定温度より低かったとしても、給湯電気ヒータ３４により加温することができる。
【００３９】
次に、本発明の第２の実施の形態について、図３に基づいて説明する。図３は、第２の実施の形態による給湯及び空調システムの給湯ユニット３を示している。
【００４０】
図３に示すように、本実施の形態による給湯及び空調システムの給湯ユニット３では、第１の実施の形態における給湯ユニット３のバイパス回路３８及び三方弁３９に代えて、３本のバイパス配管３８Ａからなるバイパス回路３８と、３個のバイパス電磁弁（開閉弁）３９Ａと、給湯電磁弁（開閉弁）３９Ｂとを備える。
【００４１】
各バイパス配管３８Ａは、太さが実質的に等しく構成され、第１水配管３２Ａと第２水配管３２Ｂとを接続して、第１水配管３２Ａ内の水が給湯熱交換器３０を回避して第２水配管３２Ｂへ流れることを可能にする。各バイパス配管３８Ａの一方の端部は、第２水配管３２Ｂの給湯電気ヒータ３４よりも上流側に接続されている。
【００４２】
各バイパス配管３８Ａに対して１個のバイパス電磁弁３９Ａが設けられ、各バイパス電磁弁３９Ａを開閉することにより、対応するバイパス配管３８Ａの流路を開閉することができる。また、給湯電磁弁３９Ｂは、第１水配管３２Ａ上であって、給湯熱交換器３０と第１水配管３２Ａの最も下流側に接続されたバイパス配管３８Ａとの間に設けられている。給湯電磁弁３９Ｂを閉じることにより、給湯熱交換器３０への水の流入を停止することができる。
【００４３】
そして、給湯熱交換器３０へ水を流さない場合は、給湯電磁弁３９Ｂを閉状態にし、全てのバイパス電磁弁３９Ａを開状態にする。一方、給湯熱交換器３０のみに水を流す場合には、給湯電磁弁３９Ｂを開状態にし、全てのバイパス電磁弁３９Ａを閉状態にする。また、給湯熱交換器３０に流す水量を段階的に調整したい場合には、給湯電磁弁３９Ｂ及びバイパス電磁弁３９Ａを選択的に開閉する。表１にその一例を示す。
【表１】
2015004482.tif 000003
【００４４】
本実施の形態による給湯及び空調システムによっても、第１の実施の形態と同様に、バイパス回路３８を設けることにより、給湯熱交換器３０へ流す水量と、バイパス回路３８へ流す水量との比（流量比）を調整し、給湯熱交換器３０へ流れるガス冷媒の量、及び、室内熱交換器２０へ流れるガス冷媒の量を調整することができる。よって、室内ユニット２による所望の暖房空調運転を実現することができる。
【００４５】
更に、バイパス回路３８へ流す水量と、給湯熱交換器３０へ流す水量との流量比を、３本のバイパス配管３８Ａ、３個のパイパス電磁弁３９Ａ、及び給湯電磁弁３９Ｂにより任意の比率に変更可能であるので、流量比を変更することにより、室内ユニット２の暖房能力及び給湯ユニット３の給湯能力の能力バランスを制御することができる。
【００４６】
また、各バイパス配管３８Ａの一方の端部は、第２水配管３２Ｂの給湯電気ヒータ３４よりも上流側に接続されるので、給湯熱交換器３０を通過した水に各バイパス配管３８Ａを通過した水が合流した後の水温が、床暖房システム５の設定温度より低かったとしても、給湯電気ヒータ３４により加温することができる。
【００４７】
なお、本発明は、上述した実施例に限定されない。当業者であれば、本発明の範囲内で、種々の追加や変更等を行うことができる。
【００４８】
例えば、上記の実施の形態では、給湯水温センサ３３により検出される水温に基づいて、給湯熱交換器３０へ流す水量と、バイパス回路３８へ流す水量との流量比を調整したが、給湯水温センサ３３により検出される水温に代えて、吐出圧力センサ１９により検出される圧縮機６から吐出されたガス冷媒の圧力（冷凍サイクルの圧力）に基づいて流量比を調整しても良い。
【００４９】
この場合、吐出圧力センサ１９により検出される吐出圧力に目標値（以下、圧力目標値とする。）を設定し、マイコン１８により、吐出圧力センサ１９により検出される吐出圧力が圧力目標値よりも低い場合には、三方弁３９を調整して、バイパス回路３８へ流す水量を増加させ、給湯熱交換器３０へ流す水量を減少させる。これにより、給湯熱交換器３０から出てくる水温を上昇させ、給湯熱交換器３０自体の温度を上昇させる。一方、吐出圧力センサ１９により検出される吐出圧力が圧力目標値よりも高い場合には、マイコン１８は、三方弁３９を調整して、バイパス回路３８へ流す水量を減少させ、給湯熱交換器３０へ流す水量を増加させて、給湯熱交換器３０から出てくる水温を低下させる。
【００５０】
そして、圧力目標値は、室内ユニット２における設定温度、吹出空気温度センサ２４で検出された温度に基づいて、室内ユニット２の暖房能力を大きくしたいときは高い圧力に、室内ユニット２の暖房能力を小さくしたいときは低い圧力にマイコン１８により設定される。
【００５１】
また、給湯水温センサ３３により検出される水温に代えて、入口水温センサ３７により検出される給湯ユニット３に入ってきた水の温度に基づいて流量比を調整しても良い。
【００５２】
また、第２の実施の形態におけるバイパス配管３８Ａの太さは同じであったが、太さを変えても良い。これにより、必要に応じて水を流すバイパス配管３８Ａを選択することで、流量比をより細かく設定することができる。
【００５３】
また、第２の実施の形態では、バイパス配管の本数は３本であったが、３本に限られず、何本であっても良い。
【符号の説明】
【００５４】
１：室外ユニット、２：室内ユニット、３：給湯ユニット、１９：吐出圧力センサ、３０：給湯熱交換器、３２Ａ：第１水配管、３２Ｂ：第２水配管、３４：給湯電気ヒータ、３８：バイパス回路、３８Ａ：バイパス配管、３９：三方弁、３９Ａ：バイパス電磁弁、３９Ｂ：給湯電磁弁、６１：ガス配管  ６０：吐出ガス配管、１００：給湯及び空調システム
【図１】
2015004482.tif 000004
【図２】
2015004482.tif 000005
【図３】
2015004482.tif 000006